(57)【要約】【課題】簡単な構成により安価に購入することができ、誰でも手軽に使用することができ、また人混みでも使用することに違和感のない物品として手帳又は小説等の小冊子のカバーに鏡を設けた構成の鏡付き小冊子用カバーを提供する。【解決手段】手帳又は小説等の小冊子２を収納するカバー１であって、小冊子２の表紙３を差し込む差込用袋部４に鏡５が露呈するように設けたものであり、前記差込用袋部４に開口窓６を形成し、該開口窓６に鏡５が露呈するように設ける。【選択図】図１
0003105731.tif 000002
【実用新案登録請求の範囲】
【請求項１】
手帳又は小説等の小冊子を収納するカバーであって、小冊子の表紙を差し込む差込用袋部に鏡が露呈するように設けたことを特徴とする鏡付き小冊子用カバー。
【請求項２】
前記差込用袋部に開口窓を形成し、該開口窓に鏡が露呈するように設けたことを特徴とする請求項１記載の鏡付き小冊子用カバー。
【考案の詳細な説明】
【技術分野】
【０００１】
本考案は、手帳又は小説等の小冊子をカバーに収納して、このカバーを開いたときに鏡を使用できるようにした鏡付き小冊子用カバーに関する。
【背景技術】
【０００２】
従来、日常生活において鏡を携帯することは女性にとって通常行われていることであるが、男性の場合、そのように鏡を携帯することは稀である。
【０００３】
ところが、男性にとっても、日常生活において鏡が必要になる場合があり、不便を感じることがある。また、男性が人混みの中で鏡を見ることは、一般に恥ずかしさが伴うものであるが、何らかの陰で見るようにすれば、比較的見易くなる。
【０００４】
このように、人混みで鏡が必要なときに、男性であっても女性であっても手軽に鏡を使用する方法としては、人混みの中でも表に出して使用することに違和感を感じない物品に鏡を設けることが考えられる。
【０００５】
このような点から、従来案出されたものとして、特許文献１の発明がある。この発明は、システム手帳と一緒に携帯することを可能とするもので、図３に示すように、金属板、樹脂板、又は紙板等の基材２１の中央部に鏡面部２２が設けられ、且つ一端部にバインダー綴じ用の孔２３が設けられてなるシステム手帳用シート２４として構成されたものである。
【特許文献１】特開２００３−１９６９号公報
【考案の開示】
【考案が解決しようとする課題】
【０００６】
ところが、上記の特許文献１の発明は、システム手帳のバインダーに綴じられるものであり、システム手帳のページを構成することとなるため、他のページと区別がつかなくなったり、鏡面部が厚い場合、段差が生じ、他のページに筆記をする作業の邪魔になるおそれがある。また、システム手帳は高価であって、これを持たない人も多いため、一般向けとしては適さないという欠点があった。
【０００７】
本考案は上記のような事情に鑑みてなされたもので、簡単な構成により安価に購入することができ、誰でも手軽に使用することができ、また人混みでも使用することに違和感のない物品として手帳又は小説等の小冊子のカバーに鏡を設けた構成の鏡付き小冊子用カバーを提供することを目的とする。
【課題を解決するための手段】
【０００８】
上記の目的を達成するために、本考案の請求項１は、手帳又は小説等の小冊子を収納するカバーであって、小冊子の表紙を差し込む差込用袋部に鏡が露呈するように設けたことを特徴とする。
【０００９】
また、本考案の請求項２は、請求項１において、前記差込用袋部に開口窓を形成し、該開口窓に鏡が露呈するように設けたことを特徴とする。
【考案の効果】
【００１０】
以上のように構成された本考案の鏡付き小冊子用カバーは、手帳又は小説等の小冊子を収納することができるカバーであって、小冊子の表紙を差し込む差込用袋部に鏡が露呈するように設けてあるため、電車等の人混みであっても、本考案のカバーに収納した手帳や小説等の小冊子を読む際に、他人に知られずに鏡を見ることができ、周囲の違和感がなく、手軽に顔等を確認することが可能となる。
【００１１】
また、例えば、混雑した電車等で、手帳や小説を読む格好で背後の様子を鏡に写すことができるため、痴漢行為を確認する等の用途にも利用することが可能となる。
【考案を実施するための最良の形態】
【００１２】
以下、本考案の実施例について図面を参照しながら説明する。
【実施例１】
【００１３】
本考案の鏡付き小冊子用カバー１は、図１に示すように、手帳又は小説等の小冊子２を収納するカバーであって、小冊子２の表紙３を差し込む差込用袋部４に鏡５が露呈するように設けたものである。より具体的には、差込用袋部４に開口窓６を形成し、該開口窓６に鏡５が露呈するように設けたものである。
【００１４】
このような構成について詳細に述べると、小冊子用カバー１の一実施例としては、図１に示すように、皮製、布製又は合成樹脂製等によって手帳又は小説等の小冊子２の表表紙３ａと背表紙３ｂと裏表紙３ｃとを全体的に包囲する形状のカバー本体７と、該カバー本体７の少なくとも一端に縫製（縫製用糸１０）又は接着等によって固定した差込用袋部４が設けられ、この差込用袋部４に小冊子２の表表紙３ａ又は裏表紙３ｃを差し込んで係止するようにしている。
【００１５】
また、カバー本体７の他端は折返片８が形成されると共に、カバー本体７の上下部に縫製又は接着等により両端を固定した係止帯９が設けられてなり、小冊子２の表表紙３ａ又は裏表紙３ｃを折返片８で係止して、この折返片８を係止帯９に挿入する。
【００１６】
なお、上記のカバー本体７の他端は、折返片８のほかに、上記と同様の差込用袋部４を設けることによって、カバー本体７の差込用袋部４、４に小冊子２の表表紙３ａと裏表紙３ｃの夫々を差し込む構成としてもよい。
【００１７】
いずれにしても、本考案においては、カバー本体７の差込用袋部４の面上に鏡５が露呈するように設ける。その具体的な方法としては、カバー本体７の差込用袋部４に開口窓６を形成し、この開口窓６から鏡５が露呈するように構成する。なお、鏡５としては、ガラス板又は透明プラスチック板の背面にアルミ膜等を設けた通常のものでよい。
【００１８】
上記のように鏡５を設けるには、図２に示すように、差込用袋部４を形成するようにした同一形状の裏部材４ａと表部材４ｂとを重ねて、それらの周縁をカバー本体７の周縁に縫製（縫製用糸１０）する。差込用袋部４の表部材４ｂには開口窓６が形成してあり、この開口窓６よりもやや広面積の薄板状の鏡５を裏部材４ａと表部材４ｂとの間に挟持した状態として固定し、図１のように開口窓６から鏡５が露呈した状態にする。
【００１９】
このような小冊子用カバー１の構成によれば、電車等の人混みで本考案のカバーに収納した手帳や小説等の小冊子２を読む際に、他人に知られずに鏡５を見ることができるため、周囲の違和感がなく手軽に顔等を確認することが可能となる。
【００２０】
また、例えば、混雑した電車等で、手帳や小説を読む格好で背後の様子を鏡５に写すことができるため、痴漢行為を確認する等の用途にも利用することが可能となる。
【産業上の利用可能性】
【００２１】
本考案の鏡付き小冊子用カバーは、簡単な構成により安価に購入することができ、また誰でも手軽に携行して、手帳又は小説等を読む際に、人混みでも違和感なく鏡を使用することができる物品として利用可能である。
【図面の簡単な説明】
【００２２】
【図１】本考案による鏡付き小冊子用カバーに小冊子を収納して開いた状態を示す斜視図である。
【図２】本考案による鏡付き小冊子用カバーの差込用袋部における鏡を設けた部位の断面図である。
【図３】特許文献１のシステム手帳用シートの平面図である。
【符号の説明】
【００２３】
１…小冊子用カバー
２…小冊子
３…表紙
３ａ…表表紙
３ｂ…背表紙
３ｃ…裏表紙
４…差込用袋部
４ａ…裏部材
４ｂ…表部材
５…鏡
６…開口窓
７…カバー本体
８…折返片
９…係止帯
１０…縫製糸
【図１】
0003105731.tif 000003
【図２】
0003105731.tif 000004
【図３】
0003105731.tif 000005